(57)【要約】【課題】ローラ式マッサージ器のマッサージ効果を高めるために、マッサージローラの転動中に押圧状況や押圧領域、押圧力などが変動して抑揚に富んだマッサージがなされるようにすることを課題としている。【解決手段】グリップ１１から延びだす弾性変形して互いに離反可能なアーム１２Ｌ，１２Ｒの先端に、支軸を通す軸孔を中心に設けたローラ本体２と、規則的に波打ちながらローラ本体の外周を１周するように成形された所定厚みのゴム板で形成された押圧部材５とからなるマッサージローラ１を、マッサージ部位に押しつけられながら転がり得る状態に装着してローラ式マッサージ器１０を構成した。【選択図】図３
2012217516.tif 000002
【特許請求の範囲】
【請求項１】
支軸を通す軸孔（３）を中心に設けたローラ本体（２）と、そのローラ本体（２）の外周に設けるエンドレスの押圧部材（５）とからなり、前記押圧部材（５）が、規則的に波打ちながら前記ローラ本体（２）の外周を１周するように成形された所定厚みのゴム板で形成されたマッサージローラ。
【請求項２】
前記押圧部材（５）は、波の山の稜線（５ａ）と谷底（５ｂ）が、マッサージローラの端面視でローラ本体（２）の中心から放射状に延びだす線上にあり、かつ、波の高さ（ｈ）が周方向外側に向って高くなる形状に成形された請求項１に記載のマッサージローラ。
【請求項３】
グリップ（１１）と、そのグリップから延びだす、弾性変形して互いに離反可能な左右一対のアーム（１２Ｌ，１２Ｒ）を有し、前記対のアーム（１２Ｌ，１２Ｒ）の先端に請求項１又は２に記載のマッサージローラ（１）がマッサージ部位に押しつけられながら転がり得る状態に設けられたローラ式マッサージ器。
【請求項４】
前記対のアーム（１２Ｌ，１２Ｒ）が２組設けられ、その２組のアーム（１２Ｌ，１２Ｒ）が前記グリップ（１１）から反対向きに延びだし、一方の組のアームの先端と他方の組のアームの先端に大きさの異なるマッサージローラ（１）が回転可能に装着された請求項３に記載のローラ式マッサージ器。
【請求項５】
前記対のアーム（１２Ｌ，１２Ｒ）の先端がそれぞれ四方に分岐し、各分岐部（１６−１〜１６−４）の先端に前記マッサージローラ（１）がそれぞれ回転可能に装着された請求項３に記載のローラ式マッサージ器。
【請求項６】
前記対のアームの先端の四つの分岐部のうち、ひとつの分岐部（１６−１）は、マッサージ器の中央側に寄りながら、かつ、アームからの離反量を増加させながら前記グリップ（１１）に近づく方向に、他のひとつの分岐部（分岐部１６−２）は、マッサージ器の中央側に寄りながら、かつ、アームからの離反量を増加させながら前記グリップ（１１）から遠ざかる方向にそれぞれ延びだし、その２箇所の分岐部（１６−１，１６−２）と他の２箇所の分岐部（１６−３，１６−４）が、マッサージ器の側面視でアーム（１２Ｌ，１２Ｒ）を基準にして対称形状をなすように配置された請求項５に記載のローラ式マッサージ器。
【発明の詳細な説明】
【技術分野】
【０００１】
この発明は、マッサージ用ローラとそれを用いたローラ式マッサージ器に関する。なお、この発明のローラ式マッサージ器は、主として美顔用マッサージ器や腕、足、肩、首筋、腰用のマッサージ器として利用されるものである。
【背景技術】
【０００２】
周知のローラ式マッサージ器として、例えば、下記特許文献１に開示されたものがある。また、図１１に示す脚用ローラ式マッサージ器（リファレンス（株）製レッグローラ：ハナ）が市販されている。
【０００３】
特許文献１に記載されたローラ式マッサージ器は、アーチ型をなす本体フレームの両端に揺動フレームが支軸を用いて個別に取り付けられ、各揺動フレームの両端に突起付きローラがそれぞれ設けられている。
【０００４】
また、前記市販品のローラ式マッサージ器（レッグローラ：ハナ）は、図１１に示すように、棒状樹脂をＵ字状に屈曲させてグリップ部Ａを構成し、さらに、棒状樹脂の両端を互いに離反する方向に傾斜させてこの部分をアームＢにし、そのアームの先端に花びらに似た形状のマッサージローラＣを設けている。
【０００５】
このローラ式マッサージ器は、グリップ部ＡとアームＢが弾性変形可能であり、許容弾性変形量の範囲内で左右のマッサージローラＣ、Ｃが接近・離反することができ、足のふくらはぎなどを弾性的に挟みつけながらマッサージローラを転がしてもみほぐすことができる。
【先行技術文献】
【特許文献】
【０００６】
【特許文献１】特開２００１−９５８７０号公報
【発明の概要】
【発明が解決しようとする課題】
【０００７】
上記特許文献１のローラ式マッサージ器は、マッサージローラが突起付きローラであるので、ローラの押しつけ圧が突起に集中する。従って、突起の無いマッサージローラを設けたマッサージ器と比べればそれに勝るもみほぐしの効果を期待できるが、突起付きローラでは、押圧の強弱変化が単純になる。
【０００８】
ローラを転がしたときの押しつけ圧の強弱変化は、直線の移動軌跡上でしか起こらない。これに加えて、押圧が一定ピッチでの単純な点押圧となるために、押圧領域や押圧力が変動する抑揚に富んだマッサージがなされず、１回のローラ転動でもみほぐしのできる領域も狭い。
【０００９】
図１１の市販品のローラ式マッサージ器も、マッサージローラの外周が花びら状であるので、特許文献１のローラ式マッサージ器と同様に、押圧の強弱変化が単純で抑揚に富んだマッサージがなされない。
【００１０】
この発明は、ローラ式マッサージ器のマッサージ効果を高めるために、マッサージローラの転動中に押圧状況や押圧領域、押圧力などが変動して抑揚に富んだマッサージがなされるようにすることを課題としている。
【課題を解決するための手段】
【００１１】
上記の課題を解決するため、この発明においては、支軸を通す軸孔を中心に設けたローラ本体と、そのローラ本体の外周に設けるエンドレスの押圧部材とからなり、前記押圧部材が、規則的に波打ちながら前記ローラ本体の外周を１周するように成形された所定厚みのゴム板で形成されたマッサージローラを提供する。
【００１２】
このマッサージローラの前記押圧部材は、波の山の稜線と谷底が、ローラの端面視でローラ本体の中心から放射状に延びだす線上にあり、かつ、波の高さが周方向外側に向って高くなる形状に成形されたものが好ましい。ここで言う、波の山の稜線と谷底は、便宜上定めたものであって、見方によっては両者の関係が逆転する。
【００１３】
この発明は、グリップと、そのグリップから延びだす、弾性変形して互いに離反可能な左右一対のアームを有し、前記対のアームの先端にこの発明のマッサージローラがマッサージ部位に押しつけられながら転がり得る状態に設けられたローラ式マッサージ器も提供する。
【００１４】
そのローラ式マッサージ器は、前記対のアームが２組設けられ、その２組のアームがグリップから反対向きに延びだし、一方の組のアームの先端と他方の組のアームの先端に大きさの異なるマッサージローラが回転可能に装着された構造や、前記対のアームの先端がそれぞれ四方に分岐し、各分岐部の先端に前記マッサージローラがそれぞれ回転可能に装着された構造にすることもできる。
【００１５】
先端が四方に分岐したアームを備えるローラ式マッサージ器は、アーム先端の四つの分岐部のうち、ひとつの分岐部は、マッサージ器の中央側に寄りながら、かつ、アームからの離反量を増加させながら前記グリップに近づく方向に、他のひとつの分岐部は、マッサージ器の中央側に寄りながら、かつ、アームからの離反量を増加させながら前記グリップから遠ざかる方向にそれぞれ延びだし、その２箇所の分岐部と他の２箇所の分岐部が、マッサージ器の側面視でアームを基準にして対称形状をなすように配置されたものにするとよい。
【００１６】
なお、ここで言う「マッサージ部位」は、顔面、腕、足のふくらはぎや太もも、肩、首筋、腰などを指す。また、ここで言う「マッサージ部位に押しつけられながら転がり得る状態」には、対のマッサージローラがマッサージ部位を挟みつけながら転がる状態も含まれる。
【発明の効果】
【００１７】
この発明のマッサージローラとそれを用いたマッサージ器は、ローラ本体の外周に所定厚みのゴム板で形成された押圧部材を設けており、規則的に波打ちながらローラ本体の外周を１周するように成形されたその押圧部材が、ローラの転動に伴って弾性変形しながらマッサージを受ける人（マッサージ器を使用する本人、又はマッサージをしてもらう他人）の体に直接又は衣服を介して押しつけられ、皮膚と筋肉に刺激を与える。
【００１８】
このときの押圧部材の体に対する押しつけは、ローラの押しつけ力の変化に伴って押圧部材の弾性変形量が変動することから、体に対する接触状態が多様に変化する。
【００１９】
その多様な接触状態がマッサージ器の使用状況（ローラの押し引き、それによる押しつけ力や挟み付け力の変動など）によってマッサージ中に自然に切り替わり、押圧領域や押圧力が逐次変化する。これは、規則的に波打ったゴム板製の押圧部材をローラ本体の外周に有する本願独自のマッサージローラを設けたことによる特有の作用であり、これによって抑揚のあるマッサージが可能となる。
【００２０】
なお、この発明のマッサージローラの波打った押圧部材は、モールド成形されたもの、プレス成形されたもののどちらであってもよい。
【００２１】
波の山の稜線と谷底が、ローラの端面視でローラ本体の中心から放射状に延びだす線上にあり、かつ、波の高さが周方向外側に向って高くなる形状の押圧部材を有するマッサージローラは、平板の環状ゴム板をホットプレス成形して所望の押圧部材を得ることができ、モールド成形に比べて生産性に優れる。
【図面の簡単な説明】
【００２２】
【図１】この発明のマッサージローラの正面図
【図２】図１のマッサージローラの側面図
【図３】この発明のローラ式マッサージ器の一例を正面（下面）側から見た斜視図
【図４】図３のローラ式マッサージ器の側面図
【図５】アームに対するマッサージローラ取り付け部の断面図
【図６】この発明のローラ式マッサージ器の他の例を示す背面図
【図７】図６のローラ式マッサージ器の側面図
【図８】この発明のローラ式マッサージ器のさらに他の例を示す背面図
【図９】図８のローラ式マッサージ器の側面図
【図１０】（ａ）〜（ｃ）：マッサージ部位に対する押圧部材の接触状況の違いを示す図
【図１１】市販されている脚用ローラ式マッサージ器の一例を示す図
【発明を実施するための形態】
【００２３】
以下、添付図面の図１〜図１０に基づいて、この発明のマッサージローラとそれを用いたローラ式マッサージ器の実施の形態を説明する。
【００２４】
図１及び図２に示すように、この発明のマッサージローラ１は、ローラ本体２の外周に押圧部材５を設けてなる。ローラ本体２は、硬質樹脂で形成されたものであって中心に貫通した軸孔３を有する。図示のローラ本体２は、球を基本形とし、その球の軸孔３の両端が開口する部位に本体の長さを短縮する平面の面取り部４を施した形状になっている。
【００２５】
このローラ本体２は、軸方向に２分割し、各分割体を分割面間に押圧部材５を挟んだ状態で接着一体化するものがマッサージローラの製造がし易くて好ましい。また、このローラ本体２は球状である必要はないが、表面にエッジの無い図示のような形状が、マッサージ器を使用するときに本体の表面のエッジがマッサージされる人に当ることがなくて好ましい。
【００２６】
押圧部材５は、所定厚みの軟質ゴムの板を、規則的に波打ちながらローラ本体２の外周を１周するように成形して得たエンドレスの部材である。図示の押圧部材５は、波の山の稜線５ａと波の谷底５ｂ（５ｂを山の稜線と考えれば５ａが谷底になる）が、マッサージローラの端面視でローラ本体２の中心から放射状に延びだす線上にある。また、波の高さｈが周方向外側に向って高くなる形状に成形されており、花びらをイメージさせる形状になっている。
【００２７】
この押圧部材５を形成するゴム板は、ローラの大きさを考慮して適切な厚みを持つものを選択する。下記の試料Ｉ，II，III，IVのマッサージローラを試作し、それを後述するマッサージ器に採用したところ、どの試作品も、押圧部材５によって指圧と比較して遜色の無い押圧を行うことができた。
【００２８】
・試料Ｉ・・・樹脂製ローラ本体の直径：１．５ｃｍ、押圧部材５の素材：ウレタンゴム、押圧部材５の厚み：１ｍｍ、押圧部材５の外径：約３ｃｍ
・試料II・・・樹脂製ローラ本体の直径：２．５ｃｍ、押圧部材５の素材：ウレタンゴム、押圧部材５の厚み：２ｍｍ、押圧部材５の外径：約４ｃｍ
・試料III・・・樹脂製ローラ本体の直径：３．５ｃｍ、押圧部材５の素材：ウレタンゴム、押圧部材５の厚み：３ｍｍ、押圧部材５の外径：約６ｃｍ
・試料IV・・・樹脂製ローラ本体の直径：３．５ｃｍ、押圧部材５の素材：ウレタンゴム、押圧部材５の厚み：３ｍｍ、押圧部材５の外径：約７ｃｍ
【００２９】
図３、図４に、この発明のローラ式マッサージ器の一例を示す。この図３、図４のローラ式マッサージ器１０は、足の太ももやふくらはぎ、腰、肩などのマッサージ用として提供されるものであって、グリップ１１と、そのグリップから延びだす左右一対のアーム１２Ｌ，１２Ｒを有し、対のアーム１２Ｌ，１２Ｒの先端にそれぞれ上述したマッサージローラ１を設けてなる。
【００３０】
アーム１２Ｌ，１２Ｒは、互いの先端が相反する方向、かつ、若干前下がりの方向に延びだしている。このアーム１２Ｌ，１２Ｒは、硬質樹脂で形成されており、先端側が互いに離反する方向に弾性変形することができる。
【００３１】
また、各アーム１２Ｌ，１２Ｒの先端の延びだしの方向が、グリップの軸心を延長した直線に対して所定の角度（図示の製品については平面視、側面視とも４５度程度）を持たせた方向になっている。そのような延びだし方向となすことで、左右のアーム１２Ｌ，１２Ｒの先端に設けたマッサージローラ１，１でマッサージ部位を挟みつけた状態でマッサージ器１０を進退させて２個のマッサージローラ１，１を転がらせることができる。
【００３２】
図５に示すように、各アーム１２Ｌ，１２Ｒの先端側は、支軸１３として構成されており、その支軸１３の外周にマッサージローラ１が回転可能に装着される。図３、図４のローラ式マッサージ器には、上記試料IVのマッサージローラ１を設けている。図５の１４は、マッサージローラ１の支軸からの外れを防止する抜け止めリングである。この抜け止めリング１４は、逆止爪１４ａを内周に有しており、その逆止爪１４ａが支軸１３の先端外周の溝１３ａに係止して抜け止めリングの保持がなされる。
【００３３】
図６、図７は、この発明のローラ式マッサージ器の他の例を示している。このローラ式マッサージ器１０は、主として腕や首筋などのマッサージ用として提供されるものであって、左右一対のアーム１２Ｌ，１２Ｒを２組有する。その２組のアーム１２Ｌ，１２Ｒがグリップ１１から反対向きに延びだし、一方の組のアーム１２Ｌ，１２Ｒの先端と他方の組のアーム１２Ｌ，１２Ｒの先端に大きさの異なるマッサージローラ１が回転可能に設けられて図示のローラ式マッサージ器１０が形成されている。
【００３４】
２組のアーム１２Ｌ，１２Ｒは、どちらも、図３のマッサージ器のアームと同様の材料で、同様構造をもつように構成されており、先端側が互いに離反する方向に弾性変形することができる。
【００３５】
各アーム１２Ｌ，１２Ｒの先端の延びだしの方向がグリップの軸心を延長した直線に対して所定の角度傾いていることも、図３とさして変わりが無い。各アーム１２Ｌ，１２Ｒの先端に対するマッサージローラ１の取り付け方なども、図３のマッサージ器と同じである（図５参照）ので、図３のマッサージ器と共通した部分の説明は省く。
【００３６】
図３のマッサージ器との相違点は、グリップ１１とアーム１２Ｌ，１２Ｒの形状が異なることと、対をなすアーム１２Ｌ，１２Ｒが２組あることと、一方の組のアーム１２Ｌ，１２Ｒと他方の組のアーム１２Ｌ，１２Ｒに異サイズのマッサージローラ１（前述の試料II，III）が回転可能に取り付けられていることのみである。
【００３７】
図８、図９は、この発明のローラ式マッサージ器のさらに他の例を示している。このローラ式マッサージ器１０は、顔面のマッサージ用として提供される美顔ローラである。これは、グリップ１１から一方向に延びだす左右一対のアーム１２Ｌ，１２Ｒを有する。
【００３８】
アーム１２Ｌ，１２Ｒは、樹脂で形成されており、直径が６〜７ｍｍ程度の細長いアームとなっている。そのアーム１２Ｌ，１２Ｒの先端は、それぞれ四方に分岐している。
【００３９】
左右のアーム１２Ｌ，１２Ｒの先端に、アーム長手直角方向に延びる連結部１５が設けられ、その連結部１５の両端に四つの分岐部１６−１〜１６−４が形成されている。その四つの分岐部のうちのひとつの分岐部１６−１は、マッサージ器１０の中央側に寄りながら、かつ、アーム１２Ｌ，１２Ｒからの離反量を増加させながらグリップ１１に近づく方向に延びだし、他のひとつの分岐部１６−２は、マッサージ器の中央側に寄りながら、かつ、アーム１２Ｌ，１２Ｒからの離反量を増加させながらグリップ１１から遠ざかる方向にそれぞれ延びだしている。
【００４０】
また、その２箇所の分岐部１６−１，１６−２と他の２箇所の分岐部１６−３，１６−４は、マッサージ器１０の側面視（図９参照）でアーム１２Ｌ（１２Ｒ）を基準にして対称形状をなすように配置されている。
【００４１】
各分岐部１６−１〜１６−４の先端は支軸として構成され、その支軸にマッサージローラ１が回転可能に装着されている。ここで用いたマッサージローラ１は、前述の試料Ｉである。このマッサージローラ１の取付け構造は図５と同じである。
【００４２】
この発明のローラ式マッサージ器は、グリップ１１を片手で掴んでアーム先端のマッサージローラ１を、マッサージを受ける人に転がしながら押しつける。その押しつけは、アーム１２Ｌ，１２Ｒの先端のマッサージローラ１でマッサージ部位を間に挟み、この状態でローラ式マッサージ器１０を進退させてマッサージローラ１を転がす方法で行ってもよい。
【００４３】
マッサージ器１０の押し引きやマッサージローラ１の押しつけ状況によって、マッサージローラの外周の押圧部材５の弾性変形量が逐次変化し、それによって体に対するマッサージローラ１の接触状態が多様に変化する。
【００４４】
具体的には、マッサージローラ１の押しつけ状況によって、図１０（ａ）に示すように、押圧部材５の波の山の突端付近が体Ｂに当ったり、図１０（ｂ）に示すように、押圧部材５の外周の縁が体Ｂに当ったり、図１０（ｃ）に示すように、押圧部材５が変形して潰れてその押圧部材５の片側の端面が体Ｂに面接触（点線内の領域が面接触部）したりする。  
【００４５】
そして、図１０（ａ）の押しつけ状況では、波のピッチに対応したピッチで局部的な押圧がなされ、また、図１０（ｂ）の押しつけ状況では、押圧部材５の波に対応した箇所がジグザグに押圧され、さらに、図１０（ｃ）の押しつけ状況では、押圧部材５の変形の度合いに応じた押圧面の面積変動が起こる。
【００４６】
このために、抑揚に富んだマッサージがなされ、従来品に勝るマッサージ効果を期待できるようになる。
【００４７】
なお、この発明のローラ式マッサージ器は、マッサージローラが花びらをイメージさせる形状になっている。そのため、花びらに似た着色を施すことで、美観も向上させることができる。
【符号の説明】
【００４８】
１          マッサージローラ
２          ローラ本体
３          軸孔
４          面取り部
５          押圧部材
５ａ        波の山の稜線
５ｂ        波の谷底
１０        ローラ式マッサージ器
１１        グリップ
１２Ｌ，１２Ｒ  アーム
１３        支軸
１３ａ      溝
１４        抜け止めリング
１５        連結部
１６−１〜１６−４  アーム先端の分岐部
【図１】
2012217516.tif 000003
【図２】
2012217516.tif 000004
【図３】
2012217516.tif 000005
【図４】
2012217516.tif 000006
【図５】
2012217516.tif 000007
【図６】
2012217516.tif 000008
【図７】
2012217516.tif 000009
【図８】
2012217516.tif 000010
【図９】
2012217516.tif 000011
【図１０】
2012217516.tif 000012
【図１１】
2012217516.tif 000013